(57)【要約】【課題】  反射型空間光変調器における反射光分布や反射効率などの反射特性を向上させることができるホログラム記録再生装置及びホログラム記録再生方法の提供。【解決手段】  ホログラム記録媒体１９に対してホログラムを記録及び／又は再生するホログラム記録再生装置において、波長λのレーザ光を出射するレーザ光源１１と、レーザ光源１１から出射されたレーザ光を変調するための、角度が可変可能で反射型の回折格子２４を一列又は縦横に複数配置し、レーザ光の入射角度をθｉ、各回折格子２４の周期をｄ、各回折格子２４の最大の傾きをθｍとしたときに、  ｓｉｎ（θｉ）＋ｓｉｎ（２θｍ−θｉ）＝ｍλ／ｄ  （但し、ｍは整数）  （式Ａ）を満たすように、λ、θｉ、ｄ、θｍの値が設定されている反射型空間光変調器１６とを具備する。【選択図】  図２
2006133602.tif 000002
【特許請求の範囲】
【請求項１】
ホログラム記録媒体に対してホログラムを記録及び／又は再生するホログラム記録再生装置において、
波長λのレーザ光を出射するレーザ光源と、
前記レーザ光源から出射されたレーザ光を変調するための、角度が可変可能で反射型の回折格子を一列又は縦横に複数配置し、前記レーザ光の入射角度をθｉ、各回折格子の周期をｄ、各回折格子の最大の傾きをθｍとしたときに、
ｓｉｎ（θｉ）＋ｓｉｎ（２θｍ−θｉ）＝ｍλ／ｄ  （但し、ｍは整数）  （式Ａ）
を満たすように、λ、θｉ、ｄ、θｍの値が設定されている反射型空間光変調器と
を具備することを特徴とするホログラム記録再生装置。
【請求項２】
請求項１に記載のホログラム記録再生装置において、
２θｍ＝θｉ
であることを特徴とするホログラム記録再生装置。
【請求項３】
請求項１に記載のホログラム記録再生装置において、
前記式Ａを満たすように、λ及びθｉのうち少なくとも１つを調整すること
を特徴とするホログラム記録再生装置。
【請求項４】
ホログラム記録媒体に対してホログラムを記録及び／又は再生する方法において、
レーザ光源から出射されたレーザ光を変調するために、角度が可変可能で反射型の回折格子を一列又は縦横に複数配置した反射型空間光変調器を用い、
レーザ光の波長をλ、レーザ光の入射角度をθｉ、各回折格子の周期をｄ、各回折格子の最大の傾きをθｍとしたときに、
ｓｉｎ（θｉ）＋ｓｉｎ（２θｍ−θｉ）＝ｍλ／ｄ  （但し、ｍは整数）  （式Ａ）
を満たすように、λ、θｉ、ｄ、θｍの値を設定した
ことを特徴とするホログラム記録再生方法。
【請求項５】
請求項４に記載の方法において、
２θｍ＝θｉ
であることを特徴とするホログラム記録再生方法。
【請求項６】
請求項４に記載の方法において、
前記式Ａを満たすように、λ及びθｉのうち少なくとも１つを調整したこと
を特徴とするホログラム記録再生方法。
【発明の詳細な説明】
【技術分野】
【０００１】
本発明は、ホログラム記録再生装置及びホログラム記録再生方法に関する。
【背景技術】
【０００２】
ホログラフィを使ってデータを記録し、再生するホログラム記録再生装置の開発が進められている。
【０００３】
ホログラムにおけるデータ記録では、変調された（データが重畳された）信号光、変調されない参照光の２つをレーザ光から生成し、これらをホログラム記録媒体の同一場所に照射する。その結果、ホログラム記録媒体上で信号光と参照光が干渉して照射点に回折格子（ホログラム）が形成され、ホログラム記録媒体にデータが記録される。
【０００４】
再生時には、記録済みのホログラム記録媒体に参照光を照射することで、記録時に形成された回折格子から回折光（再生光）が発生する。この再生光は記録時の信号光に重畳されたデータを含んでいるので、これを受光素子で受光して記録した信号を再生できる（例えば、特許文献１参照。）。
【０００５】
ところで、信号光や参照光の変調等には、液晶素子を用いた透過型空間光変調器やＤＭＤ（Ｄｉｇｉｔａｌ  Ｍｉｃｒｏｍｉｒｒｏｒ  Ｄｅｖｉｃｅ）やＧＬＶ（Ｇｒａｔｉｎｇ  Ｌｉｇｈｔ  Ｖａｌｖｅ）などの反射型空間光変調器が用いられる。
【０００６】
そのうちＤＭＤは、シリコン・ベースの素子上に、角度の可変可能な小さな鏡を例えば縦横に配置し、これらの鏡の角度を可変することによりレーザ光源からのレーザ光をホログラム記録媒体に向けて反射させるかどうかを制御し、ホログラム記録媒体へのピクセル単位での光のオン・オフを行う。
【特許文献１】特開２００４−１３９０２３号公報（図１）
【発明の開示】
【発明が解決しようとする課題】
【０００７】
しかしながら、ホログラムの記録再生においては、コヒーレント性の高いレーザ光を用いることから、上記のような反射型空間光変調器を用いた場合には、当該変調器自体が回折格子として機能し、回折条件を満たす方向にしか光を伝播できない。従って、反射光強度分布が複数のピークを有すると同時に、反射効率が低下する現象を生じ、結果としてホログラムの記録再生特性の劣化が生じる、という課題がある。
【０００８】
以上のような事情に鑑み、本発明の目的は、反射型空間光変調器における反射光分布や反射効率などの反射特性を向上させることができるホログラム記録再生装置及びホログラム記録再生方法を提供することにある。
【課題を解決するための手段】
【０００９】
Ａ．かかる課題を解決するため本発明に係るホログラム記録再生装置は、ホログラム記録媒体に対してホログラムを記録及び／又は再生するホログラム記録再生装置において、波長λのレーザ光を出射するレーザ光源と、前記レーザ光源から出射されたレーザ光を変調するための、角度が可変可能で反射型の回折格子を一列又は縦横に複数配置し、前記レーザ光の入射角度をθｉ、各回折格子の周期をｄ、各回折格子の最大の傾きをθｍとしたときに、
【００１０】
ｓｉｎ（θｉ）＋ｓｉｎ（２θｍ−θｉ）＝ｍλ／ｄ  （但し、ｍは整数）  （式Ａ）
を満たすように、λ、θｉ、ｄ、θｍの値が設定されている反射型空間光変調器とを具備するものである。
【００１１】
本発明では、上記式Ａを充足することにより、各回折格子におけるレーザ光の正反射角度と回折角度とが等しくなり、反射光の伝播方向が一方向となる同時に、反射効率が最大になる。よって、反射型空間光変調器における反射光分布や反射効率などの反射特性を向上させることができる。
【００１２】
なお、回折格子の最大の傾きとは、レーザ光源からのレーザ光をホログラム記録媒体に向けて反射させる（例えば２値によるディジタル記録における一方の値）ときの当該回折格子の傾きを意味している。
（１）上記式Ａにおいて、２θｍ＝θｉであることがより好ましい。
【００１３】
これにより、反射特性を向上させると同時にレーザ光の反射方向を反射型空間光変調器の表面に対する法線方向とすることができる。
（２）前記式Ａを満たすように、λ及びθｉのうち少なくとも１つを調整することがより好ましい。
【００１４】
これにより、コスト高となる反射型空間光変調器自体の調整をすることなく、反射特性を向上させることができる。
（３）反射型空間光変調器における各回折格子を調整することにより、各回折格子単位で最適化を図ることができる。また、ソフトウェア等を使った制御によって各回折格子の最大傾きの調整することで、各回折格子単位で反射特性の最適化を図ることができる。その場合に、製造時ばかりでなくユーザの使用時においても測定手段を使ったフィードバック制御等によって最適化を図ることができる。
Ｂ．本発明の別の観点に係るホログラム記録再生方法は、ホログラム記録媒体に対してホログラムを記録及び／又は再生する方法において、レーザ光源から出射されたレーザ光を変調するために、角度が可変可能で反射型の回折格子を一列又は縦横に複数配置した反射型空間光変調器を用い、レーザ光の波長をλ、レーザ光の入射角度をθｉ、各回折格子の周期をｄ、各回折格子の最大の傾きをθｍとしたときに、
【００１５】
ｓｉｎ（θｉ）＋ｓｉｎ（２θｍ−θｉ）＝ｍλ／ｄ  （但し、ｍは整数）  （式Ａ）
を満たすように、λ、θｉ、ｄ、θｍの値を設定したものである。
【００１６】
本発明では、上記式Ａを充足することにより、反射型空間光変調器における反射光分布や反射効率などの反射特性を向上させることができる。
（１）上記式Ａにおいて、２θｍ＝θｉであることが好ましい。
【００１７】
これにより、反射特性を向上させると同時にレーザ光の反射方向をエネルギ密度が最も高い反射型空間光変調器の表面に対する法線方向とすることができる。
（２）前記式Ａを満たすように、λ及びθｉのうち少なくとも１つを調整したことがより好ましい。
【００１８】
これにより、コスト高となる反射型空間光変調器自体の調整をすることなく、反射特性を向上させることができる。
【発明の効果】
【００１９】
以上のように、本発明によれば、反射型空間光変調器における反射光分布や反射効率などの反射特性を向上させることができ、結果としてホログラム記録再生特性を向上させることができる。また、反射効率を向上させることができるため、レーザ光源のパワーを低下させることができ、レーザ光源の高寿命化やローパワーでローコストのレーザ光源の使用が可能となる。
【発明を実施するための最良の形態】
【００２０】
以下、本発明の実施の形態を図面に基づき説明する。
（第１の実施形態）
【００２１】
図１は本発明の第１の実施形態に係るホログラム記録再生装置１００を表す模式図である。
【００２２】
図１に示すように、ホログラム記録再生装置１００は、ホログラム記録媒体１９に対してデータが重畳されたホログラムの記録及び再生を行う装置である。
【００２３】
ホログラム記録再生装置１００は、レーザ光源１１、コリメータレンズ１２、半波長板１３、ビームスプリッタ１４、ミラー１５、反射型空間光変調器１６、対物レンズ１７、ミラー１８、集光レンズ２０、光検出器２１を備える。
【００２４】
レーザ光源１１は、レーザ光を出射する光源である。
【００２５】
コリメータレンズ１２は、レーザ光源１１により発光されたレーザ光を平行光とする。
【００２６】
半波長板１３は、再生時のみ機能するようにされている。
【００２７】
ビームスプリッタ１４は、入射した光を２つの光（信号光２２と参照光２３）に分岐する光学素子である。
【００２８】
ミラー１５は、ビームスプリッタ１４により分岐された信号光２２を反射型空間光変調器１６に導く。
【００２９】
反射型空間光変調器１６は、例えばＤＭＤ（Ｄｉｇｉｔａｌ  Ｍｉｃｒｏｍｉｒｒｏｒ  Ｄｅｖｉｃｅ）が用いられる。ＤＭＤは、シリコン・ベースの素子上に、角度の可変可能な小さな鏡（反射型回折格子）を一方向又は縦横に複数配置し、これらの鏡の角度を可変することによりレーザ光源１１からのレーザ光（ここでは信号光２２）をホログラム記録媒体１９に向けて反射させるかどうかを制御し、ホログラム記録媒体１９へのピクセル単位での光のオン・オフを行う。反射型空間光変調器１６については後で詳細に説明する。
【００３０】
対物レンズ１７は、信号光をホログラム記録媒体１９に集光する光学素子である。反射型空間光変調器１６上に形成された像（実像）が対物レンズ１７の焦点位置にフラウンホーファー（Fraunhofer）回折像（フーリエ（Fourier）変換像）に変換されて結像する。その結果、ホログラム記録媒体１９で信号光２２と参照光２３とが干渉して照射点に回折格子（ホログラム）が形成され、ホログラム記録媒体１９にデータが記録される。
【００３１】
ミラー１８は、ビームスプリッタ１４により分岐された参照光２３をホログラム記録媒体１９に導く。なお、ミラー１８の代わりに反射型空間光変調器を用いて特定の光強度変調を行うようにしても構わない。この反射型空間光変調器についても本発明に係る反射型空間光変調器として解釈することも可能である。
【００３２】
集光レンズ２０は、ホログラム記録媒体１９に記録された反射型空間光変調器１６のフーリエ変換像を逆フーリエ変換して光検出器２１に結像する逆フーリエ変換レンズでもある。
【００３３】
光検出器２１は、再生された信号光を検出するＣＣＤなどの受光素子であり、受光素子が１方向又は２方向に配列された１次元又は２次元受光素子である。
【００３４】
ホログラム記録媒体１９は、信号光２２と参照光２３とによる干渉縞を屈折率の変化として記録する情報記録層を有する記録媒体である。ホログラム記録媒体の情報記録層の構成材料として、光の強度に応じて屈折率の変化が行われる材料であれば、有機材料、無機材料の別を問うことなく利用可能である。無機材料として、例えば、ニオブ酸リチウム（ＬｉＮｂＯ３）のような電気光学効果によって露光量に応じ屈折率が変化するフォトリフラクティブ材料を用いることができる。有機材料として、例えば、光重合型フォトポリマを用いることができる。光重合型フォトポリマは、その初期状態では、モノマがマトリクスポリマに均一に分散している。これに光が照射されると、露光部でモノマが重合する。そして、ポリマ化するにつれてその部分の屈折率が変化する。
（記録時の動作）
【００３５】
ホログラム記録媒体１９に対してホログラムを記録するときには、以下の動作が行われる。
【００３６】
レーザ光源１１からレーザ光が出射されると、そのレーザ光はコリメータレンズ１２及び半波長板１３を介してビームスプリッタ１４に入射し、信号光２２と参照光２３とに分離される。
【００３７】
信号光２２は、ミラー１５により反射されて反射型空間光変調器１６に至り、記録情報パターンに応じて光強度変調された後、対物レンズ１７を介してホログラム記録媒体１９に入射する。
【００３８】
一方、参照光２３は、ミラー１８により反射されてホログラム記録媒体１９に導かれる。
【００３９】
この結果、信号光２２と参照光２３は、ホログラム記録媒体１９内の情報記録層に干渉縞、すなわちホログラムを形成する。
（再生時の動作）
【００４０】
ホログラム記録媒体１９からホログラムを再生するときには、以下の動作が行われる。
【００４１】
レーザ光源１１からレーザ光が出射されると、そのレーザ光はコリメータレンズ１２及び半波長板１３を介してビームスプリッタ１４に入射し、ビームスプリッタ１４により信号光２２は遮断され、参照光２３だけがミラー１８を介してホログラム記録媒体１９に入射する。
【００４２】
ホログラム記録媒体１９内のホログラムにより回折作用を受けた光が集光レンズ２０を介して光検出器２１上に再生像を形成し、その光強度分布を光検出器２１により検出する。
（反射型空間光変調器１６の詳細）
【００４３】
図２は反射型空間光変調器１６における反射・回折モデルを示す断面図である。
【００４４】
反射型空間光変調器１６は、例えば１ピクセルを構成する傾きが可変可能な小さな鏡（反射型回折格子２４）を一列又は縦横に複数配置し、これらの反射型回折格子２４の傾きの角度を可変することによりレーザ光源１１からのレーザ光をホログラム記録媒体１９に向けて反射させるかどうかを制御し、ホログラム記録媒体へのピクセル単位での光のオン・オフを行う。
【００４５】
ここで、θｍは、反射型回折格子２４の最大の傾きであり、レーザ光源からのレーザ光をホログラム記録媒体に向けて反射させる（例えば２値によるディジタル記録における一方の値）ときの当該反射型回折格子２４の傾きを意味している。
【００４６】
θｉは入射光２８がレーザ光の反射型空間光変調器１６表面に対する入射角で、このレーザ光が反射型回折格子２４に入射することにより回折光２５が生じ、法線２６に対して角度θｄの方向に伝播する。また、正反射光２７は正反射角度θｒの方向に伝播する。
【００４７】
このとき、回折光２５については回折条件により
【００４８】
ｓｉｎ（θｉ）＋ｓｉｎ（θｄ）＝ｍλ／ｄ  （ｍ＝０、±１、±２、‥）  （式１）
が成立する。ここで、λはレーザ光の波長、ｄは反射型回折格子２４の周期である。この式１は、回折光２５が所定の決ったとびとびの角度にしか伝播できないことを意味している。
【００４９】
また、正反射角度θｒは、正反射条件より
【００５０】
θｒ＝２θｍ−θｉ  （式２）
となる。したがって、正反射角度θｒが回折角度θｄと一致しない場合には、伝播角度が分散し、反射効率が低下することとなる。逆にいえば、正反射角度θｒと回折角度θｄとが等しい場合、つまり、θｒ＝θｄの場合に正反射光２７と回折光２５との伝播方向が一方向に特定されると同時に反射効率が最大になる。
【００５１】
以上より、下記の条件
【００５２】
ｓｉｎ（θｉ）＋ｓｉｎ（２θｍ−θｉ）＝ｍλ／ｄ  （ｍ＝０、±１、±２、‥）  （式３）
を満足するように各パラメーター（θｉ、θｍ、λ、ｄ）を設定することで、反射特性を向上させることが可能になる。
【００５３】
また、光線の反射方向を法線２６の方向（θｒ＝０）にすることが望ましいが、その場合、式（３）に加えて、
【００５４】
θｉ＝２θｍ  （式４）
を満足するようにパラメーターを設定すればよい。
【００５５】
この効果について数値解析により確認を行った。
【００５６】
最初に、１次元モデルにおける解析結果を図３に示す。
【００５７】
図３（ａ）は各パラメーターをそれぞれλ＝４１０ｎｍ、θｉ＝２４°、θｍ＝１２°、ｄ＝１３．７μｍとした場合の角度スペクトラム強度であるが、この場合、式（３）が満たされないために複数の強度ピークが発生しており、伝播角度が分散してしまうことが分かる。
【００５８】
これに対して、式（３）を満たすように各パラメーターを上記の数値（λ＝４１０ｎｍ、θｉ＝２４°、θｍ＝１２°、ｄ＝１３．７μｍ）から以下のようにそれぞれ適当に選択した結果を図３（ｂ）〜図３（ｅ）に示す。
・条件１（図３（ｂ））：波長選択          ：λ＝４２８ｎｍ
・条件２（図３（ｃ））：入射角度選択      ：θｉ＝３２．７°
・条件３（図３（ｄ））：回折格子周期選択  ：ｄ＝１４．１μｍ
・条件４（図３（ｅ））：回折格子角度選択  ：θｍ＝１２．３°
【００５９】
どの場合も伝播角度が一方向に定まると共にスペクトラム強度が増加しており、反射特性が向上することが分かる。
【００６０】
入射角度θｉまたは回折格子角度θｍを選択した条件２（図３（ｃ））、条件４（図３（ｅ））の場合には、式（４）が満たされていないために反射角度が法線２６の方向（θｒ＝０）となっていないが、式（４）も併せて考慮し、例えば条件をθｉ＝２４．８°、θｍ＝１２．４°とすることにより、反射特性を向上させると同時に、反射角度を回折格子垂直方向に設定することが可能である（図３（ｆ））。
【００６１】
次に、より実際的な例として、２次元モデルにおける解析を行った。解析モデルを図４及び図５に示す。
【００６２】
本モデルは、反射型空間光変調器としてＴｅｘａｓ  Ｉｎｓｔｒｕｍｅｎｔｓ社のＤＭＤデバイスを想定したものであり、回折格子（ピクセルミラー）の回転軸はピクセルに対して４５°傾いている。この場合、回折格子周期はピクセルサイズの√２倍となる。パラメーターをそれぞれλ＝４１０ｎｍ、θｉ＝２４°、θｍ＝１２°、ｄ＝１９．４μｍとした場合の角度スペクトラム強度を図６（ａ）に示す。
【００６３】
この場合、４つの強度ピークが発生しており伝播角度が分散してしまうが、式（３）を満足するように例えばレーザ光の波長としてλ＝４３７ｎｍを選択することにより、強度ピークが一つになると共にスペクトラム強度が増加しており（図６（ｂ））、伝播角度を一方向に特定し、反射効率を向上させることが可能であることが分かる。
【００６４】
本解析においては波長のみの効果を示したが、１次元モデル解析で明らかにしたように、他のパラメーター（θｉ、θｍ、ｄ）についても全く同様の結果を得ることができる。
【００６５】
以上により、式（３）、式（４）を満たすように各パラメーター（θｉ、θｍ、λ、ｄ）を選択することにより、反射特性の向上および回折格子垂直方向への反射が可能であることが確認された。
（第２の実施形態）
【００６６】
次に、本発明の第２の実施形態について説明する。
【００６７】
図７はこの第２の実施形態に係るホログラム記録再生装置２００を表す模式図である。
【００６８】
図７に示すホログラム記録再生装置２００は、１つのレーザ光源１１からのレーザ光を信号光２２と参照光２３に分け、それらを同一の対物レンズ１７を通してホログラム記録媒体１９上にホログラムを記録する、いわゆる透過型のコリニアホログラム記録再生方式を採用している。なお、図７において図１に示した要素と同じ要素には同一の符号を付して説明を省略する。
【００６９】
このホログラム記録再生装置２００では、まず記録時に関しては、レーザー光源１１を出射したレーザ光はコリメータレンズ１２及びミラー１５を介して反射型空間光変調器１６に入射する。
【００７０】
反射型空間光変調器１６により、一部は記録情報を反映した光強度変調パターンを有する信号光２２として、他の一部は光強度変調されない、または特定の光強度変調を受けた参照光２３として、対物レンズ１７に至る。
【００７１】
対物レンズ１７により信号光２２と参照光２３はホログラム記録媒体１９内の情報記録層にホログラムを形成する。
【００７２】
情報の再生においては、信号光２２は反射率を０％に制御された反射型空間光変調器１６で遮断され、参照光２３のみが対物レンズ１７を介してホログラム記録媒体１９が照射される。
【００７３】
ホログラム記録媒体１９内のホログラムによる回折光は、集光レンズ２０を介して光検出器２１上に再生像を形成し、その光強度分布を光検出器２１で検出する。
【００７４】
以上の方式において用いられる反射型空間光変調器１６において、式（３）および式（４）を満たすように各パラメーター（θｉ、θｍ、λ、ｄ）を選択することにより、反射空間光変調器１６に対して垂直方向に反射させると同時に、反射光の反射特性を向上させることが可能となる。
（第３の実施形態）
【００７５】
次に、本発明の第３の実施形態について説明する。
【００７６】
図８はこの第３の実施形態に係るホログラム記録再生装置３００を表す模式図である。
【００７７】
図８に示すホログラム記録再生装置３００では、反射型のコリニアホログラム記録再生方式を採用している。反射型のコリニアホログラム記録再生方式においては、情報記録層の背後に反射膜を有する反射型ホログラム記録媒体３１を用いる。なお、図８においても図１に示した要素と同じ要素には同一の符号を付して説明を省略する。
【００７８】
まず、情報記録に関しては、透過型とほぼ同様であり、信号光２２と参照光２３がビームスプリッタ１４を通過して、対物レンズ１７により反射型ホログラム記録媒体３１内にホログラムを形成する。
【００７９】
一方、情報再生においては、反射型ホログラム記録媒体３１内のホログラムにより回折及び反射作用を受けた光は、再び対物レンズ１７を通過した後、ビームスプリッタ１４により光検出器２１に向けて反射され、光検出器２１上に再生像を形成する。再生像の光強度空間分布を光検出器２１により検出することで、情報再生が行われる。
【００８０】
以上の方式において用いられる反射型空間光変調器１６において、式（３）および式（４）を満たすように各パラメーター（θｉ、θｍ、λ、ｄ）を選択することにより、反射型空間光変調器１６に対して垂直方向に反射させると同時に、反射光の反射特性を向上させることが可能となる。
【００８１】
なお、上述した実施形態においては、それぞれにおける基本的な方式を元に説明を行ったが、本発明は反射型空間光変調器を用いる種々のホログラム記録再生装置に適用することが可能である。
【図面の簡単な説明】
【００８２】
【図１】本発明の第１の実施形態に係るホログラム記録再生装置を表す模式図である。
【図２】１次元モデルにおける反射型空間光変調器における反射・回折モデルを示す断面図である。
【図３】１次元モデルにおける反射角度スペクトラムの解析結果を示すである。
【図４】２次元モデルにおける反射型空間光変調器における反射・回折モデルを示す平面図である。
【図５】２次元モデルにおける反射型空間光変調器における反射・回折モデルを示す断面図である。
【図６】２次元モデルにおける反射角度スペクトラムの解析結果を示す図である。
【図７】本発明の第２の実施形態に係るホログラム記録再生装置を表す模式図である。
【図８】本発明の第３の実施形態に係るホログラム記録再生装置を表す模式図である。
【符号の説明】
【００８３】
１００  ホログラム記録再生装置
１１  レーザ光源
１２  コリメータレンズ
１３  半波長板
１４  ビームスプリッタ
１５  ミラー
１６  反射型空間光変調器
１７  対物レンズ
１８  ミラー
１９  ホログラム記録媒体
２０  集光レンズ
２１  光検出器
２２  信号光
２３  参照光
２４  反射型回折格子
２５  回折光
２６  法線
２７  正反射光
２８  入射光
２００  ホログラム記録再生装置
３００  ホログラム記録再生装置
【図１】
2006133602.tif 000003
【図２】
2006133602.tif 000004
【図３】
2006133602.tif 000005
【図４】
2006133602.tif 000006
【図５】
2006133602.tif 000007
【図６】
2006133602.tif 000008
【図７】
2006133602.tif 000009
【図８】
2006133602.tif 000010